(57)【要約】【課題】球送り装置が遊技機本体から取り外されるときに、遊技球を零れにくくする。【解決手段】遊技機本体に発射装置４５が設けられ、遊技機本体に回動自在に取り付けられた下扉には球送り装置６５が設けられている。下扉が閉じられたとき、球送り装置６５は発射装置４５に組み合わせられる。球送り装置６５は球送り装置本体６８とガイドユニット６７とから構成され、ガイドユニット６７はパチンコ玉をセットする球座６７ａ、球座６７ａを囲む囲い６７ｂ、パチンコ玉を球座６７ａに排出する排出口６９とが透明材料によって一体形成されている。球座６７ａにセットされたパチンコ玉は、球送り装置６５が揺れた場合に、囲い６７ｂによって球座６７ａに留められる。【選択図】図３
2008067826.tif 000002
【特許請求の範囲】
【請求項１】
遊技球を受け入れる受け皿の遊技球が供給され、遊技球を叩く打球位置とこの打球位置から退避した退避位置との間で移動する打球部材とこの打球部材に叩かれた遊技球を遊技領域に案内する案内通路とを備えた遊技機本体に組み合わせられ、前記受け皿から供給された遊技球を前記打球部材の動きに合わせて一球ずつ排出する排出口を備えた弾球遊技機の球送り装置において、
前記排出口から排出された遊技球を、前記打球部材による打球が可能なように前記打球位置にセットする球座と、
前記球座の周りに設けられかつ前記打球部材に叩かれた遊技球を前記案内通路に向けてガイドする囲いとを設けたことを特徴とする弾球遊技機の球送り装置。
【請求項２】
前記囲いに、前記遊技機本体に設けられた位置決め突起と係合する係合部を形成したことを特徴とする請求項１記載の弾球遊技機の球送り装置。
【請求項３】
前記囲いを光透過性としたことを特徴とする請求項１または２記載の弾球遊技機の球送り装置。
【請求項４】
前記受け皿は前記遊技機本体のフロントに取り付けられるパネルの前面側に備えられており、前記パネルの背面側に前記球座と前記囲いとを設けたことを特徴とする請求項１ないし３いずれか１つ記載の弾球遊技機の球送り装置。
【請求項５】
前記排出口と前記球座と前記囲いとがユニット化されたガイドユニットと、前記受け皿の遊技球を前記排出口から排出させる排出機構を備えた装置本体とからなり、
前記ガイドユニットを前記装置本体に着脱自在としたことを特徴とする請求項１ないし４いずれか１つ記載の弾球遊技機の球送り装置。
【請求項６】
前記ガイドユニットを、前記装置本体に対して一定範囲内で揺動可能に取り付けたことを特徴とする請求項５記載の弾球遊技機の球送り装置。
【発明の詳細な説明】
【技術分野】
【０００１】
本発明はパチンコ等の弾球遊技機に搭載される球送り装置に関するものである。
【背景技術】
【０００２】
弾球遊技機として例えばパチンコ機では、遊技領域内の入賞口に遊技球であるパチンコ玉が入賞した場合にはパチンコ玉が受け皿に払い出され、受け皿に払い出されたパチンコ玉はパチンコ機内部に送られ、遊技領域に向けて発射可能となっていた。
【０００３】
パチンコ機は、パチンコ玉を叩く打球位置とこの打球位置から退避した退避位置との間で移動する打球部材、打球位置にパチンコ玉を配置するとともに叩いたパチンコ玉を遊技領域側にガイドする発射レール、打球部材の動きに合わせて発射レールにパチンコ玉を送り出す排出口を有する球送り装置を備え、球送り装置は、例えば、受け皿を備え、かつパチンコ機のフロントに取り付けられるパネルに備えられていた。このようなパチンコ機では様々な工夫がなされており、例えば、特許文献１では、球送り装置の排出口を覆う閉じ位置と排出口を開ける退避位置との間で移動するシャッタを設け、遊技機本体にシャッタを退避位置に移動させる動作制御部材を設けたパチンコ機が示されており、パネルが遊技機本体から取り外されているときにはシャッタによって排出口が塞がれてパチンコ玉が零れないようにされていた。
【特許文献１】特開２００５―１５２２４６号公報
【発明の開示】
【発明が解決しようとする課題】
【０００４】
しかしながら、遊技機本体からパネルが取り外されるとき、遊技機本体側に設けられた発射レール内に打ち出されずに残ったパチンコ玉やパネル側に設けられた球送り装置の排出口付近に待機していたパチンコ玉が零れてしまうことがあり、このためにパチンコ機のメンテナンス作業が煩わしく感じられることがあった。
【０００５】
本発明は上記の事情に鑑みてなされたものであり、その目的は、球送り装置が遊技機本体から取り外されるときに、遊技球を零れにくくすることにある。
【課題を解決するための手段】
【０００６】
上記の目的を達成するために、本発明の弾球遊技機の球送り装置では、遊技球を受け入れる受け皿の遊技球が供給され、遊技球を叩く打球位置とこの打球位置から退避した退避位置との間で移動する打球部材とこの打球部材に叩かれた遊技球を遊技領域に案内する案内通路とを備えた遊技機本体に組み合わせられ、受け皿から供給される遊技球を打球部材の動きに合わせて一球ずつ排出する排出口を備えた弾球遊技機の球送り装置において、排出口から排出された遊技球を、打球部材による打球が可能なように打球位置にセットする球座と、球座の周りに設けられかつ打球部材に叩かれた遊技球を案内通路に向けてガイドする囲いとを設けたことを特徴とする。
【０００７】
また、囲いに遊技機本体に設けられた位置決め突起と係合する係合部を設けたことを特徴とする。
【０００８】
また、囲いを光透過性としたことを特徴とする。また、球座と囲いとは一体に形成することが望ましい。なお、光透過性とは、透明な材料もしくは半透明な材料で形成すること、または内部が視認できるような窓を囲いに形成することをいう。
【０００９】
また、受け皿は遊技機本体のフロントに取り付けられるパネルの前面側に備えられており、パネルの背面側に球座と囲いとを設けたことを特徴とする。
【００１０】
また、排出口と球座と囲いとがユニット化されたガイドユニットと、受け皿の遊技球を排出口から排出させる排出機構を備えた装置本体とからなり、ガイドユニットを装置本体に着脱自在としたことを特徴とする。
【００１１】
また、ガイドユニットを、装置本体に対して一定範囲内で揺動可能に取り付けることを特徴とする。
【発明の効果】
【００１２】
本発明の弾球遊技機の球送り装置によれば、遊技球を打球位置にセットする球座の周りに囲いを設けたことにより、球送り装置が揺れたときに球座にセットされた遊技球は球座の周囲に設けられた囲いによって球座に留められ、これにより球送り装置が遊技機本体から取り外されるときに、遊技球を零れにくくすることができる。また、球座を球送り装置側に設けたので、打球部材等のメンテナンスを行いやすくなる。
【００１３】
また、囲いに、遊技機本体に設けられた位置決め突起と係合する係合部を設けたことにより、位置決め突起を囲いの係合部と係合させて、球送り装置を打球部材の移動軌跡上に正確に配置することができる。
【００１４】
また、囲いを光透過性としたことにより、球座にパチンコ玉がセットされているか否かを容易に確認することができ、球送り装置を遊技機本体から取り外す際、球座にパチンコ玉が確認されたときに慎重な対処を促すことができる。
【００１５】
また、前面側に受け皿を備えたパネルの背面側に球座と囲いとを設けたことにより、パネルが遊技機本体から取り外される際、球送り装置が揺れた場合に、遊技球を零れにくくすることができ、パネルのメンテナンスを実行しやすくすることができる。
【００１６】
また、排出口と球座と囲いとがユニット化されたガイドユニットと、受け皿の遊技球を排出口から排出させる排出機構を備えた装置本体とからなり、ガイドユニットを装置本体に着脱自在としたことにより、装置本体からガイドユニットを取り外してより容易にメンテナンスを実行することができる。
【００１７】
また、ガイドユニットを、装置本体に対して一定範囲内で揺動可能に取り付けることにより、装置本体の取り付け精度が低い場合でも、ガイドユニットを位置決め突起に係合させることができ、これにより、装置本体の取り付け精度にかかわらずガイドユニットを適性な位置に配置させることが可能となる。
【発明を実施するための最良の形態】
【００１８】
本発明の球送り装置を備えた弾球遊技機であるパチンコ機の外観斜視図を図１に示す。パチンコ機２の前面には、上扉４及びパネルである下扉５からなる前面扉６が遊技機本体３に対して回動自在に設けられている。上扉４及び下扉５は一方の側端部に設けられたヒンジ部８を介して開閉自在に遊技機本体３に取り付けられている。上扉４と下扉５とは閉じられた状態で図示しない施錠装置によってロックされている。
【００１９】
遊技機本体３には、遊技盤１８の背面においてセンター役物３０などの駆動を制御する制御回路などがユニット化されて取り付けられた遊技盤ユニットが着脱自在に取り付けられており、これにより遊技盤ユニットは容易に交換できるようになっている。上扉４の中央には開口４ａが設けられ、この開口４ａにはガラス板７が組み付けられている。ガラス板７と遊技盤１８との間にはパチンコ玉が流下する遊技領域９が形成され、遊技者はガラス板７を通して遊技領域９を視認することができる。
【００２０】
下扉５には、受け皿１２、発射操作装置１４、球通路１５、払出口１６等が設けられている。受け皿１２には遊技を開始する際にパチンコ玉が流入する他、遊技領域９を流下するパチンコ玉が、遊技盤１８の前面に設けられた入賞口にスタートチャッカ２３等を介して入賞することに応じてパチンコ玉が払出口１６から払い出される。球通路１５は、受け皿１２に貯留されたパチンコ玉を後述する発射装置側に案内し、発射操作装置１４は、パチンコ玉を遊技領域９に打ち出す際に操作される。発射操作装置１４には遊技者によって回される回動部材が備えられ、この回動部材の位置によってパチンコ玉の打ち出しの強さが変化する。
【００２１】
遊技盤１８上には、釘、スタートチャッカ２３、入賞チャッカ２４、アタッカ２６、内レール２７、外レール２８、センター役物３０等が設けられている。スタートチャッカ２３には、例えば電動チューリップと呼ばれる開閉式の可動装置が設けられ、これによってパチンコ玉が入賞しやすい状態と入賞しにくい状態とが切り替えられるようになっている。遊技領域９に打ち出されたパチンコ玉が入賞チャッカ２４やアタッカ２６等に入賞しない場合はアウト口３３によって回収される。
【００２２】
センター役物３０には、例えば４つの保留表示部及び表示画面３５が備えられており、保留表示部は、センター役物３０上に設けられた表示画面３５において図柄が変動表示されている間にスタートチャッカ２３に設けられた始動入賞口（図示省略）にパチンコ玉が入賞するごとに１つ点灯する。この入賞は、電子抽選を行って図柄を変動させる権利として持ち越され、この権利の持ち越しは上限が４つまでと予め定められている。この権利を消化した場合には保留表示部は１つずつ消灯する。
【００２３】
センター役物３０に備えられた表示画面３５は、例えば、横に３つ並べられた図柄など各種画像を表示する。スタートチャッカ２３の始動入賞口にパチンコ玉が入賞したときには後述する電子抽選が開始され、表示画面３５には３つの横並びの図柄のうち少なくとも１つの図柄が上から下へと縦に流れるように示される変動表示が行われた後に、３つの図柄が直線上に停止表示される。表示画面３５に停止表示された図柄の組み合わせを通して遊技者に抽選結果が告知される。図柄は、例えば１〜９までの数字であり、変動表示後、大当たりでは同じ数字が３つ停止表示される。なお、表示画面３５に表示される図柄の表示態様には、３つの図柄が停止表示される前段階で、３つの図柄のうち２つが同じ図柄で停止表示され残る１つが変動表示される、いわゆるリーチ表示が設定されている。
【００２４】
スタートチャッカの始動入賞口にパチンコ玉が入賞すると予め決められた個数のパチンコ玉が払出口１６から払い出されて受け皿１２に流入する。また、始動入賞口にパチンコ玉が入賞すると電子抽選が開始され、乱数の抽出、抽出された乱数が当たりとなる乱数であるか否かの判定が行われ、判定の結果が表示画面３５に表示される。
【００２５】
入賞チャッカ２４は遊技領域９の左右に１つずつ配置され、入賞チャッカ２４に設けられた通常入賞口にパチンコ玉が入賞すると、所定の個数のパチンコ玉が受け皿１２に払い出されるようになっている。
【００２６】
アタッカ２６には大入賞口及び大入賞口を開閉する可動扉が備えられ、表示画面３５によって大当たりが告知されたときに可動扉が開放されるようになっており、一定期間の開放が所定の回数繰り返されたとき、もしくは一定個数のパチンコ玉が入賞した場合に大当たりの告知に伴うアタッカ２６の開放は終了する。
【００２７】
受け皿１２には、例えば略２６０個のパチンコ玉を貯留することができ、その内側には仕切り壁が形成されている。受け皿１２に供給されたパチンコ玉は、少しずつ球通路１５に流下しする。球通路１５は後述するパチンコ玉の球送り装置に向かって緩やかに傾斜しており、パチンコ玉は次第に一列に整列しながら球送り装置に到達する。
【００２８】
発射操作装置１４は遊技者によって回動される回動部材を備え、回動部材はパチンコ玉を発射しない初期位置とパチンコ玉を最も強く発射する最大位置との間で回動可能となっている。発射操作装置１４の内部には図示しない位置検出センサが設けられ、後述する発射装置は位置検出センサからの位置信号に応答してパチンコ玉の発射強度を調節する。
【００２９】
遊技領域９の左端には内レール２７及び内レールに対向する外レール２８が配置され、内レール２７と外レール２８との間には案内通路２９が形成されている。案内通路２９は発射装置によって発射されたパチンコ玉を遊技領域９の上部まで導き、これによってパチンコ玉は遊技領域９の上部から流下することが可能となる。
【００３０】
図２に示すように、遊技機本体３の下部には発射装置４５が備えられ、発射装置４５は下扉５によって覆われる。下扉５の前面側には受け皿１２が備えられ、下扉５の背面側にはパチンコ玉を発射装置４５に供給する球送り装置６５が備えられている。下扉５は、ヒンジ８を介して回動自在、または着脱自在に遊技機本体３に組み付けられるようになっており、下扉５によって遊技機本体３の前面下部が覆われたとき、球送り装置６５は発射装置４５に組み合わせられてパチンコ玉の発射が可能となる。
【００３１】
図３及び図４に示すように、発射装置４５は、打球部材であるノックアーム５０、ロータリーソレノイド５２、第１ストッパ５４、第２ストッパ５５、第１突起５７、第２突起５８、ベース板６０とから構成されている。ノックアーム５０の一端５０ａはロータリーソレノイド５２の回動軸５２ａに固定され、これによりロータリーソレノイド５２の作動時に、ノックアーム５０はその一端５０ａを中心として回動する。ノックアーム５０は、例えば、通電時にＡ方向に回動し、電力の供給停止時にＢ方向に回動してパチンコ玉を叩く打球位置とこの打球位置からＢ方向に退避した退避位置との間で回動可能に設けられており、回動範囲は第１、第２ストッパ５４、５５によって規制されている。
【００３２】
ノックアーム５０の他端５０ｂには略Ｌ字形状に突出形成された打球槌６２が設けられ、ノックアーム５０が打球位置に回動する際、この打球槌６２は後述するガイドユニット内に侵入してパチンコ玉を叩く。
【００３３】
ベース板６０には、第１、第２突起５７、５８が設けられ、それぞれノックアーム５０の回動軸方向と同じ方向に突出している。第１、第２突起５７、５８は、先端に向かって先細りに形成され、後述する球送り装置６５が組み合わされる際に、球送り装置６５の位置を決定する。
【００３４】
球送り装置６５は、ガイドユニット６７と球送り装置本体６８とから構成され、ガイドユニット６７は、囲い６７ｂを支持する板状のベース板６７ｃを有し、球送り装置本体６８にスナップ７３によって着脱自在に凹凸嵌合されている。球送り装置本体６８に形成された凹部はスナップ７３に設けられた凸部よりも大きく、凹凸嵌合された際にはガイドユニット６７は球送り装置本体６８に対して一定範囲内で揺動可能となっている。球送り装置本体６８内には、例えば、振り子運動する揺動部材によってパチンコ玉を個々に押し出す装置が設けられており、これによりガイドユニット６７に形成された排出口６９からパチンコ玉を１球ずつ排出可能となっている。球送り装置６５は供給通路７０を介して受け皿１２からパチンコ玉の供給を受け、球送り装置本体６８内に設けられた排出機構は、受け皿１２のパチンコ玉を１球ずつ排出口６９から排出させる。
【００３５】
ガイドユニット６７は、球座６７ａ、囲い６７ｂ、排出口６９を有し、例えば、ポリカーボネイトなどの透明な材料で一体に形成されており、筒状に形成された囲い６７ｂの内側の内径はパチンコ玉の直径よりも大きく、環状に形成された球座６７ａの内側に設けられた貫通部７１の内径はパチンコ玉の直径よりも小さく形成されている。囲い６７ｂは環状に形成された球座６７ａの外周を囲むように延びて形成され、環状の球座６７ａの中央部にパチンコ玉がセットされるようになっている。筒状に形成された囲い６７ｂの延びた先側となる一方の端部にはパチンコ玉を射出するための射出口８１が形成され、筒状の囲い６７ｂの球座側となる他方の端部にはノックアーム５０の打球槌６２を受け入れる受け入れ口８０が形成されている。打球槌６２は貫通部７１の内径よりも小さく形成されており、受け入れ口８０から進入した打球槌６２が球座６７ａの中央部に形成された貫通部７１まで突入することでパチンコ玉が叩かれる。球座６７ａの周囲には囲い６７ｂが一体に形成され、囲い６７ｂにおいて球座６７ａよりも先側に位置する部分にパチンコ玉を排出する排出口６９が設けられている。排出口６９からのパチンコ玉の排出はノックアーム５０の動きに合わせて行われるようになっており、打球槌６２によって叩かれたパチンコ玉は射出口８１から打出通路９０内に射出される。
【００３６】
球送り装置６５は固定具７２によって下扉５の裏側に取り付けられている。球送り装置６５には固定具７２を挿通させるための挿通孔７７が形成され、固定具７２はこの挿通孔７７を通して下扉５の裏面に係止し、これによって球送り装置６５は下扉５の裏側に固定されている。
【００３７】
囲い６７ｂには、発射装置４５側に設けられた円柱状の第１、第２突起５７、５８と係合する円形凹状の第１、第２係合部７４、７５が設けられている。第１係合部７４は、射出口８１付近に設けられ、第２係合部７５は囲い６７ｂの外部側面であって射出口８１と受け入れ口８０との間に設けられている。下扉５が閉じられるとき、第１、第２突起５７、５８が第１、第２係合部７４、７５に係合し、これによって球送り装置６５が発射装置４５に対して固定される。なお、第２突起の先端は先細りになっており、これにより第２突起５８は第２係合部７５にスムーズに係合する。
【００３８】
球送り装置６５が発射装置４５の打球槌６２の移動軌道に合わせて組み合わせられたとき、ガイドユニット６７内に打球槌６２が進入可能となる。図４に示すように、受け入れ口８０から球座６７ａの貫通部７１内に侵入した打球槌６２によって叩かれたパチンコ玉は、射出口８１から打ち出され、打出通路９０を介して案内通路２９へ放出される。案内通路２９に放出されたパチンコ玉は案内通路２９を通って遊技領域９の上部に打ち出される。
【００３９】
以上のように、球送り装置６５にガイドユニット６７を設けたことにより、ガイドユニット６７内にパチンコ玉が保持されるため、下扉５が開かれたときに排出口６９からのパチンコ玉や打ち出されずに残留したパチンコ玉が零れ落ちてしまうことを低減することができる。
【００４０】
なお、上記の実施形態では、ロータリーソレノイド５２の回動軸に固定されたノックアーム５０によってパチンコ玉を打ち出す発射装置を例示したが、本発明はこれに限らず、通電時に突出するプランジャによってパチンコ玉が叩かれるソレノイドを備えた発射装置に対して球送り装置を使用することもできる。
【００４１】
また、上記の実施形態では、位置決め用の第１、第２突起５７、５８を発射装置４５側に設け、第１、第２係合部７４，７５を球送り装置６５側に設けたが、第１、第２突起を球送り装置側に設け、第１、第２係合部を発射装置側に設けてもよい。また、突起及び係合部の個数や配置場所を適宜変更してもよい。
【００４２】
また、上記の実施形態では、球座６７ａと囲い６７ｂとを一体形成したが、球座や囲いの形態はこれに限らない。例えば、球座と囲いとを別個に形成してこれら組み合わせて球送り装置本体に取り付ける構造にしてもよい。
【００４３】
また、上記の実施形態では、ガイドユニット６７全体を透明なプラスチック材料で一体形成したが、囲いのみを光透過性を有する材料で形成してもよい。これによってもパチンコ玉の確認は十分に可能である。また、球座にセットされたパチンコ玉を覗き見ることができる窓部を囲いに設けてもよい。
【００４４】
また、上記の実施形態では弾球遊技機としてパチンコ機を例示したが、本発明はパチンコ機に限らず、例えば、遊技領域内に複数の入球口が横に配列され、これら入球口に遊技球が入球して特定の当たり役が成立した際に受け皿に遊技球が払い出されるアレンジボールマシン、もしくはパチンコ玉を用いて遊技するパチンコ式スロットマシンに適用してもよい。
【図面の簡単な説明】
【００４５】
【図１】本発明のパチンコ機を前側から観察した外観斜視図である。
【図２】パチンコ機の前面を覆う前面扉を開けたパチンコ機を前側から観察した外観斜視図である。
【図３】発射装置と球送り装置とを概略的に示した説明図である。
【図４】発射装置と合体した球送り装置からパチンコ玉を発射する説明図である。
【符号の説明】
【００４６】
２  パチンコ機（弾球遊技機）
３  遊技機本体
５  下扉（パネル）
１２  受け皿
１４  発射操作装置
４５  発射装置
５０  ノックアーム（打球部材）
５７  第１突起
５８  第２突起
６５  球送り装置
６７  ガイドユニット
６７ａ  球座
６７ｂ  囲い
６８  球送り装置本体（装置本体）
６９  排出口
７４  第１係合部
７５  第２係合部
【図１】
2008067826.tif 000003
【図２】
2008067826.tif 000004
【図３】
2008067826.tif 000005
【図４】
2008067826.tif 000006